(57)【要約】【課題】近隣住民や来訪者等に対して圧迫感を与えることを確実に防ぐとともに、建物全体の構成としての重々しさを確実に払拭することができる門柱および宅地構造を提供することを目的とする。【解決手段】等間隔で並列する複数本の支柱２ａからなる門柱本体２と、複数本の支柱２ａの並列方向と平行する門柱本体２の一面側に設けられ、照明３ａや表札３ｂ、インターフォン３ｃ等が取り付けられる正面パネル３と、側面部を門柱本体２の他面側に固定するようにして設けられるポスト４とを備える門柱１であり、複数本の支柱２ａは、これら各支柱２ａに前記正面パネル３を固定することによって、それぞれ接続されている。また、この門柱１が宅地１０に配置されている。これにより、近隣住民や来訪者等に対して圧迫感を与えることを確実に防ぐとともに、建物全体の構成としての重々しさを確実に払拭できる。【選択図】図１
2008303683.tif 000002
【特許請求の範囲】
【請求項１】
等間隔で並列する複数本の支柱からなる門柱本体と、前記複数本の支柱の並列方向と平行する門柱本体の一面側に設けられ、照明や表札、インターフォン等が取り付けられる正面パネルと、側面部を前記門柱本体の他面側に固定するようにして設けられるポストとを備えており、
前記複数本の支柱は、これら各支柱に前記正面パネルを固定することによって、それぞれ接続されていることを特徴とする門柱。
【請求項２】
請求項１に記載の門柱において、
前記複数本の支柱は、地中に埋設される下端部同士がそれぞれ接続されていることを特徴とする門柱。
【請求項３】
請求項１または２に記載の門柱において、
前記複数本の支柱は、不純物を含む木質廃材から得られたセルロース系微粉粒と、不純物を含む樹脂廃材から得られた樹脂とを混合し、この混合材料を溶融させて押出成形することにより形成されたものであることを特徴とする門柱。
【請求項４】
請求項１〜３のいずれか一項に記載の門柱が配置された宅地構造であって、
道路に面して複数に区画された宅地の各区画には、道路に向かって設けられた玄関を有する建物がそれぞれ構築されるとともに、前記道路から玄関まで続くアプローチが設けられており、
前記門柱は、前記道路と各区画との境界付近に、前記正面パネルを道路に向けるとともに、前記ポストの正面を前記アプローチに向けるようにして配置されていることを特徴とする宅地構造。
【請求項５】
請求項４に記載の宅地構造において、
前記各区画には、前記門柱およびアプローチの周囲に、樹木・花等の植物が植栽されていることを特徴とする宅地構造。
【発明の詳細な説明】
【技術分野】
【０００１】
本発明は、住宅等の建物の門柱および門柱が配置された宅地構造に関する。
【背景技術】
【０００２】
従来、道路と、この道路に面する敷地との境界部分に設けられ、表札や照明、インターフォン、ポスト等を備える門柱が知られている（例えば、特許文献１参照）。
特許文献１に記載のシステム門柱は、表札やインターフォン、ポスト等をコンクリート門柱に埋め込んだ構成となっている。
【特許文献１】特開平０５−１５６８８０号公報
【発明の開示】
【発明が解決しようとする課題】
【０００３】
ところで、門柱に設けられるポストは、例えば新聞や各種郵便物など、様々な郵便物・配達物が投函されるため、表札やインターフォン等と比較するとボリュームがある。しかも、このようなボリュームのあるポストを始め、表札やインターフォン等の各装備は、特許文献１の門柱のように、その正面部分に集中して設けられる場合が多い。そして、このように表札やインターフォン、ボリュームのあるポスト等の各装備が門柱の正面に集中して設けたり、これら各装備を、コンクリート門柱に埋め込むと、門柱に重量感や重厚感を与えることができる。
ところが、このように道路と敷地との境界部分に設けられる門柱に重量感や重厚感があると、近隣住民や来訪者等に圧迫感を与えるだけでなく、このような門柱を備える建物自体が重々しく厳粛な雰囲気となってしまう場合があった。
【０００４】
本発明の課題は、近隣住民や来訪者等に対して圧迫感を与えることを確実に防ぐとともに、建物全体の構成としての重々しさを確実に払拭することができる門柱および宅地構造を提供することを目的とする。
【課題を解決するための手段】
【０００５】
請求項１に記載の発明は、門柱１であり、例えば図１〜図３に示すように、等間隔で並列する複数本の支柱２ａからなる門柱本体２と、前記複数本の支柱２ａの並列方向と平行する門柱本体２の一面側に設けられ、照明３ａや表札３ｂ、インターフォン３ｃ等が取り付けられる正面パネル３と、側面部を前記門柱本体２の他面側に固定するようにして設けられるポスト４とを備えており、
前記複数本の支柱２ａは、これら各支柱２ａに前記正面パネル３を固定することによって、それぞれ接続されていることを特徴とする。
【０００６】
請求項１に記載の発明によれば、前記ポスト４は、側面部を前記門柱本体２の他面側に固定するようにして設けられているので、前記正面パネル３が設けられる門柱本体２の一面側を門柱１の正面とすると、前記ポスト４を門柱１の背面側に設けることができる。さらに前記複数本の支柱２ａは、これら各支柱２ａに前記正面パネル３を固定することによって、それぞれ接続されているので、前記正面パネル３によって、前記複数本の支柱２ａ同士を、これら複数本の支柱２ａ間に隙間をあけた状態で確実に接続することができる。
したがって、例えば門柱１を正面から見たときに、前記ポスト４は門柱本体２の背面側に位置し、この門柱本体２は、門柱本体２を構成する前記複数本の支柱２ａ同士が互いに隙間をあけた状態で接続されているので、すっきりとした外観となる。これによって、従来とは異なり、例えば近隣住民や来訪者等に対して圧迫感を与えることを確実に防ぐとともに、建物１３全体の構成としての重々しさを確実に払拭することが可能となる。
【０００７】
また、前記正面パネル３によって、前記複数本の支柱２ａ同士を、これら複数本の支柱２ａ間に隙間をあけた状態で確実に接続することができることから、これら複数本の支柱２ａがバラバラになるのを確実に防ぐことができるとともに、門柱本体２を地面に安定的に設置することができる。
【０００８】
請求項２に記載の発明は、例えば図４に示すように、請求項１に記載の門柱１において、
前記複数本の支柱２ａは、地中に埋設される下端部同士がそれぞれ接続されていることを特徴とする。
【０００９】
請求項２に記載の発明によれば、前記複数本の支柱２ａは、地中に埋設される下端部同士がそれぞれ接続されているので、これら複数本の支柱２ａ同士を、隙間をあけた状態でより確実に接続することができる。さらに、これら複数本の支柱２ａがバラバラになるのをより確実に防ぐことができるとともに、門柱本体２を地面により安定的に設置することができる。
【００１０】
請求項３に記載の発明は、例えば図１〜図４に示すように、請求項１または２に記載の門柱１において、
前記複数本の支柱２ａは、不純物を含む木質廃材から得られたセルロース系微粉粒と、不純物を含む樹脂廃材から得られた樹脂とを混合し、この混合材料を溶融させて押出成形することにより形成されたものであることを特徴とする。
【００１１】
請求項３に記載の発明によれば、前記複数本の支柱２ａは、セルロース系微粉粒と樹脂とを混合して押出成形したものであるので、これら複数本の支柱２ａに対して、天然の木材に近い手触りや風合い、また耐候性、耐腐食性等を付与できる。これによって、従来とは異なり、例えば近隣住民や来訪者等に対して圧迫感を与えることをより確実に防ぐとともに、建物１３全体の構成としての重々しさをより確実に払拭することが可能となり、さらに屋外に露出させておくのに好ましい。
【００１２】
請求項４に記載の発明は、例えば図５および図６に示すように、請求項１〜３のいずれか一項に記載の門柱１が配置された宅地構造１０であって、
道路１１に面して複数に区画１２された宅地１０の各区画１２には、道路１１に向かって設けられた玄関１４を有する建物１３がそれぞれ構築されるとともに、前記道路１１から玄関１４まで続くアプローチ１５が設けられており、
前記門柱１は、前記道路１１と各区画１２との境界付近に、前記正面パネル３を道路１１に向けるとともに、前記ポスト４の正面を前記アプローチ１５に向けるようにして配置されていることを特徴とする。
【００１３】
請求項４に記載の発明によれば、前記門柱１は、前記道路１１と各区画１２との境界付近に、前記正面パネル３を道路１１に向けるとともに、前記ポスト４の正面を前記アプローチ１５に向けるようにして配置されているので、前記アプローチ１５付近は、例えば郵便を配達する側の郵便配達人と郵便物を受け取る側の住人とのように、前記各区画１２の外部と内部との双方が関与可能な中間領域となる。すなわち、例えば従来の門柱のように、表札やインターフォン、ポスト等を門柱正面に集中させることで、門柱の正面側と背面側とを明確に区切る場合とは異なり、前記門柱１は、前記ポスト４の正面が向いている方向に前記中間領域を確実に形成することができる。したがって、従来とは異なり、近隣住民や来訪者等に対して圧迫感を与えることをさらに確実に防ぐとともに、建物１３全体の構成としての重々しさをさらに確実に払拭することができる。そして、このような中間領域を前記各区画１２に配置するようにして宅地１０が建設されることとなるので、街並み全体の一体感や統一感の向上を図ることができ、これによって、街並みとしての価値を向上させることが可能となる。
その上、都市部等における比較的狭小な宅地１０であっても、前記門柱１によって、各区画１２に対して中間領域を形成することができるので、狭小な敷地の宅地１０であっても、街並み全体の一体感や統一感の向上を図ることができ、街並みとしての価値を向上させることが可能となる。
【００１４】
請求項５に記載の発明は、例えば図５および図６に示すように、請求項４に記載の宅地構造１０において、
前記各区画１２には、前記門柱１およびアプローチ１５の周囲に、樹木・花等の植物１６が植栽されていることを特徴とする。
【００１５】
請求項５に記載の発明によれば、前記各区画１２には、前記門柱１およびアプローチ１５の周囲に、樹木・花等の植物１６が植栽されているので、植物１６によって外部からの視線を柔らかく目隠しできるとともに、隣り合う区画１２同士が植物１６によってつながっているように見せることができるので、より街並み全体の一体感や統一感の向上を図ることができる。
【発明の効果】
【００１６】
本発明によれば、門柱を正面から見たときに、ポストは門柱本体の背面側に位置し、この門柱本体は、門柱本体を構成する複数本の支柱同士が互いに隙間をあけた状態で接続され、すっきりとした外観となるので、従来とは異なり、例えば近隣住民や来訪者等に対して圧迫感を与えることを確実に防ぐとともに、建物全体の構成としての重々しさを確実に払拭することが可能となる。
【発明を実施するための最良の形態】
【００１７】
以下、図面を参照して本発明の実施の形態について説明する。
【００１８】
本実施の形態の門柱１は、図１〜図３に示すように、等間隔で並列する複数本の支柱２ａからなる門柱本体２と、前記複数本の支柱２ａの並列方向と平行する門柱本体２の一面側に設けられ、照明３ａや表札３ｂ、インターフォン３ｃ等が取り付けられる正面パネル３と、側面部を前記門柱本体２の他面側に固定するようにして設けられるポスト４とを備えており、前記複数本の支柱２ａは、これら各支柱２ａに前記正面パネル３を固定することによって、それぞれ接続されている。
なお、本実施の形態の門柱１は、住宅等の建物１３が構築された区画１２に配置されるものである。
【００１９】
ここで、前記門柱本体２は、図１に示すように、上述のように複数本の支柱２ａによって構成されており、これら複数本の支柱２ａは等間隔で並列している。なお、本実施の形態においては５本の支柱２ａが使用されている。
また、これら複数本の支柱２ａは、上述のように各支柱２ａに前記正面パネル３を固定することによって、それぞれ接続されているが、さらに、これら複数本の支柱２ａは、図４に示すように、地中に埋設される下端部同士がそれぞれ接続されている。
なお、前記複数本の支柱２ａの下端部同士を接続する際は、図４に示すように、これら各支柱２ａの下端部同士にそれぞれ固定される第１固定部材５が用いられている。
【００２０】
このように、前記複数本の支柱２ａは、支柱２ａに前記正面パネル３を固定することによって、それぞれ接続されるとともに、地中に埋設される下端部同士がそれぞれ接続されているので、これら複数本の支柱２ａ同士を、隙間をあけた状態でより確実に接続することができる。さらに、これら複数本の支柱２ａがバラバラになるのをより確実に防ぐことができるとともに、門柱本体２を地面により安定的に設置することができる。
【００２１】
なお、図示はしないが、前記複数本の支柱２ａの下端部に前記第１固定部材５を設けるだけでなく、例えば複数本の支柱２ａの下端部から水平方向に延出する延出脚部等を設けるようにしてもよい。これにより、例えば前記複数本の支柱２ａが埋設される場所がコンクリートやアスファルト等ではなく、土中であっても、これら複数本の支柱２ａの設置状態の安定性を向上させることができる。
【００２２】
また、これら複数本の支柱２ａは、不純物を含む木質廃材から得られたセルロース系微粉粒と、不純物を含む樹脂廃材から得られた樹脂とを混合し、この混合材料を溶融させて押出成形することにより形成されたものである。
【００２３】
すなわち、前記複数本の支柱２ａは、セルロース系微粉粒と樹脂からなる木質様樹脂成形品であるので、これら複数本の支柱２ａに対して、天然の木材に近い手触りや風合い、また耐候性、耐腐食性等を付与できる。これによって、従来とは異なり、例えば近隣住民や来訪者等に対して圧迫感を与えることを確実に防ぐとともに、建物１３全体の構成としての重々しさを確実に払拭することが可能となり、さらに屋外に露出させておくのに好ましい。
【００２４】
前記正面パネル３には、この正面パネル３の表面に、照明３ａ、表札３ｂ、インターフォン３ｃが取り付けられており、この正面パネル３は、前記複数本の支柱２ａの各支柱２ａに固定されている。
この正面パネル３は、図２に示すように、断面略コ字状の第２固定部材６を備えている。そして、この第２固定部材６は、前記正面パネル３の裏面と前記門柱本体２の一面側との間に挟まれて、前記正面パネル３とともに前記複数本の支柱２ａに固定される本体板部６ａと、この本体板部６ａの両端部に、該本体板部６ａと直交するようにして設けられる側板部６ｂとを備えている。
これら両側板部６ｂは、前記複数本の支柱２ａのうち、並列方向両端部に位置する２本の支柱２ａの内側面に当接固定されている。なお、この第２固定部材６の各支柱２ａへの固定は止着材８によって行われている。また、止着材８による固定位置は、第２固定部材６の上端部近傍および下端部近傍となっている。
【００２５】
前記照明３ａは、前記正面パネル３の上部に取り付けられ、図１に示すように、側面視略台形状に形成されており、この台形状に形成された照明３ａの斜面の部分は、図１および図４に示すように、門柱１の正面に向かって斜め下方に向いている。さらに、図１および図２、図４に示すように、この照明３ａの斜めの部分と、上面部分とに透光部材が設けられている。
【００２６】
前記表札３ｂは、図１に示すように、前記正面パネル３の表面の中央部に取り付けられている。また、前記インターフォン３ｃは、前記正面パネル３の表面の下部に取り付けられている。
なお、前記照明３ａおよびインターフォン３ｃは、図示はしないが、地中に埋設された電気コードに接続されており、電源から照明３ａおよびインターフォン３ｃのための電気を供給するようにしている。
【００２７】
前記ポスト４は、上述のように、このポスト４の側面部を前記門柱本体２の他面側に固定するようにして設けられている。すなわち、このポスト４の正面は、図１に示すように、前記正面パネル３の向く方向とは直交する方向を向くようにして設けられている。
また、このポスト４の正面には、上部に投函口４ａが形成されるとともに、下部に投函されたものを取り出すための取出口４ｂが形成されている。
【００２８】
さらに、前記ポスト４は、図３に示すように、第３固定部材７を介して、前記門柱本体２の他面側に取り付けられている。
これらポスト４および第３固定部材７は、図２および図３に示すように、その上端部近傍および下端部近傍を、前記門柱本体２の他面側と前記ポスト４の側面部との間に前記第３固定部材７を挟み込むようにしながら、止着材８によって前記前記複数本の支柱２ａのうちのいずれかに固定されている。
【００２９】
なお、前記複数本の支柱２ａは、これら各支柱２ａに前記正面パネル３を固定することによって、それぞれ接続されているとしたが、前記第３固定部材７を利用して前記複数本の支柱２ａを接続するようにしてもよい。すなわち、図示はしないが、前記第３固定部材７の両端部に、前記複数本の支柱２ａのうち、並列方向両端部に位置する２本の支柱２ａの内側面に当接固定される側板部をそれぞれ設けるようにしてもよい。
【００３０】
次に、本実施の形態の門柱１が配置された宅地構造１０について説明する。なお、本実施の形態の宅地構造１０は、近年、街並み全体に地所の価値を高めるような技術を用いることに配慮した宅地１０開発に採用される。
【００３１】
すなわち、図５および図６に示すように、道路１１に面して複数に区画１２された宅地１０の各区画１２には、道路１１に向かって設けられた玄関１４を有する建物１３がそれぞれ構築されるとともに、前記道路１１から玄関１４まで続くアプローチ１５が設けられており、前記門柱１は、前記道路１１と各区画１２との境界付近に、前記正面パネル３を道路１１に向けるとともに、前記ポスト４の正面を前記アプローチ１５に向けるようにして配置されている。
【００３２】
前記宅地１０において、前記道路１１は、公衆の場所であり、いわゆるパブリックゾーンとなっている。一方、前記各区画１２にそれぞれ構築される建物１３は、いわゆるプライベートゾーンとなっている。
【００３３】
一方、前記門柱１は、前記道路１１と各区画１２との境界付近、すなわちセミパブリックゾーンまたはセミプライベートゾーンというべき中間領域に、前記正面パネル３を道路１１に向けて、前記ポスト４の正面を前記アプローチ１５に向けて配置されている。
ここで、前記アプローチ１５付近の中間領域は、例えば郵便を配達する側の郵便配達人と郵便物を受け取る側の住人とのように、前記各区画１２の外部と内部との双方が関与可能となっている。
すなわち、例えば従来の門柱のように、表札やインターフォン、ポスト等を門柱正面に集中させることで、門柱の正面側（パブリックゾーン）と背面側（プライベートゾーン）とを明確に区切る場合とは異なり、前記門柱１は、前記ポスト４が向いている方向に前記中間領域を確実に形成することができる。つまり、前記門柱１のポスト４の正面を前記アプローチ１５に向けることで、従来にはない中間領域を形成できるようになっている。
【００３４】
そして、このような中間領域を前記各区画１２に配置するようにして宅地１０が建設されることとなるので、近隣住民や来訪者等に対して圧迫感を与えることをさらに確実に防ぐとともに、建物１３全体の構成としての重々しさをさらに確実に払拭することができる。そして、街並み全体の一体感や統一感の向上を図ることができ、これによって、街並みとしての価値を向上させることが可能となる。
また、都市部等における比較的狭小な宅地１０であっても、前記門柱１によって、同様に街並みとしての価値を向上させることができる。
【００３５】
しかも、前記各区画１２には、前記門柱１およびアプローチ１５の周囲に、樹木・花等の植物１６が植栽されている。これにより、植物１６によって外部からの視線を柔らかく目隠しできるとともに、隣り合う区画１２同士が植物１６によってつながっているように見せることができるので、より街並み全体の一体感や統一感の向上を図ることができる。
【００３６】
本実施の形態の植物１６としては、生垣や灌木、花もの、背の高い樹木など、種々のものが挙げられるが、各区画１２ごとにバラバラな植物１６を植栽するのではなく、ある程度の統一性を持たせた状態で各区画１２に植物１６が植栽されている。
また、季節によって葉が散ったり、花が咲いたりする植物１６の性質を考慮したり、これと併せて、北風を防いだり、夏の日差しを遮ったりできる方角等を考慮したりすることで、より暮らしやすい街並みを形成できるようになっている。
【００３７】
なお、植物１６は、前記門柱１およびアプローチ１５の周囲だけでなく、隣り合う区画１２と区画１２との間にも植栽されており、例えば密な針葉樹等の生垣とすることによって区画１２同士が仕切られている。これによって、隣家からの視線を柔らかく目隠しできるだけでなく、風等も生垣を通ることにより、柔らかな整流された風を建物１３内に引き入れることができるので好ましい。
また、前記生垣の高さを、一般の大人の身長よりも高いものとすることで、人の進入も阻止できるので、防犯効果を得ることができる。
【００３８】
さらに、このような生垣の他にも、灌木や花などを植栽することで、これら灌木、花と前記生垣等とが複合して外部からの視線を防いだり、季節ごとに色づかせて景観を高めたり等ができる。
【００３９】
また、宅地１０の各区画１２には、ある程度の高さや広がりを有する広葉樹も植栽されており、例えば広葉樹を生垣に沿って植栽することで、緑が連続するような街並みとしての統一感を向上させることができる。
なお、隣接する広葉樹同士を、枝葉が重なり合うように植栽することで、さらに緑の連続性を向上させることができるので好ましい。
【００４０】
そして、このように各区画１２に植物１６が植栽されていることによって、隣家の建物１３からの延焼を防いだり、図５に示すように、交通量の多い幹線道路１７に面する位置に植栽される樹木を互いに重なるように配置すると、車などの粉塵から建物１３を守れる効果もある。また、この樹木の葉が非常に茂ったものであれば、車などの騒音が葉に当たって拡散し、減音でき、また葉ずれの音が耳に心地良い音なるなどのメリットもある。
【００４１】
なお、本実施の形態の門柱本体２の各支柱２ａは、上述のように天然の木材に近い手触りや風合いを有する木質様樹脂成形品であり、さらに、各区画１２の周囲に植物１６が植栽されているので、図６に示すように、植物１６が植栽された街並みに対して溶け込みやすく、外観において相性がよい。
【００４２】
本実施の形態によれば、前記門柱１を正面から見たときに、前記ポスト４は門柱本体２の背面側に位置し、この門柱本体２は、門柱本体２を構成する複数本の支柱２ａ同士が互いに隙間をあけた状態で接続され、すっきりとした外観となるので、従来とは異なり、例えば近隣住民や来訪者等に対して圧迫感を与えることを確実に防ぐとともに、建物１３全体の構成としての重々しさを確実に払拭することが可能となる。
また、前記門柱１は、前記ポスト４の正面が向いている方向に前記中間領域を確実に形成することができる。そして、このような中間領域を前記各区画１２に配置するようにして宅地１０が建設されることとなるので、街並み全体の一体感や統一感の向上を図ることができ、これによって、街並みとしての価値を向上させることが可能となる。
【図面の簡単な説明】
【００４３】
【図１】本発明の実施の形態に係る門柱を示す斜視図である。
【図２】図１の門柱を示す平面図である。
【図３】図１の門柱に設けられたポストを示す側面図である。
【図４】図１に示す門柱の設置状態を示す正面図である。
【図５】門柱が配置された宅地構造を示す平面図である。
【図６】門柱が配置された区画を示す正面図である。
【符号の説明】
【００４４】
１  門柱
２  門柱本体
２ａ  支柱
３  正面パネル
４  ポスト
１０  宅地
【図１】
2008303683.tif 000003
【図２】
2008303683.tif 000004
【図３】
2008303683.tif 000005
【図４】
2008303683.tif 000006
【図５】
2008303683.tif 000007
【図６】
2008303683.tif 000008